Podtech/llm-jp-corpus-v4-ja_patent huggingface dataset:
【手続補正書】
【提出日】平成19年9月12日(2007.9.12)
【手続補正１】
【補正対象書類名】明細書
【補正対象項目名】特許請求の範囲
【補正方法】変更
【補正の内容】
【特許請求の範囲】
【請求項１】
核酸を分析するための基板であって、該基板が以下のものを含む：
複数の個々の光ファイバーの融合したバンドルから形成される空洞光ファイバーウェーハ（ここで各個々の光ファイバーは３から１００μｍの直径を有し、ウェーハは上面と底面を含み、上面は少なくとも１０，０００ウェルを含み、ここで、該ウェルは空洞光ファイバーウェーハの上面内にエッチングされ、そして上面と底面間のウェーハの厚さは０．５ｍｍから５．０ｍｍであり、各ウェルの深さは、個々の光ファイバーの直径の２分の１から個々の光ファイバーの直径の３倍におよび、そして空洞ウェーハの上面上の複数のウェルはその中に核酸を有する）；および、
空洞ウェーハの上面上のウェル内の複数のビーズ（ビーズはそれに結合するピロホスフェート配列決定試薬を有する）。
【請求項２】
核酸がウェル上、またはビーズ上に固定化されている、請求項１の基板。
【請求項３】
空洞光ファイバーウェーハ中の各個々の光ファイバーの直径が６−５０μｍである、請求項１の基板。
【請求項４】
空洞光ファイバーウェーハの上面がおよそ１０μｍからおよそ２００μｍ離れている２つ以上の核酸を含む、請求項１の基板。
【請求項５】
空洞光ファイバーウェーハの上面がおよそ５０μｍからおよそ１５０μｍ離れている２つ以上の核酸を含む、請求項１の基板。
【請求項６】
空洞光ファイバーウェーハの上面が、分離した領域に１０４以上の核酸配列を含む、請求項１の基板。
【請求項７】
空洞光ファイバーウェーハの上面が、分離した領域に１０５以上の核酸配列を含む、請求項１の基板。
【請求項８】
基板が、空洞光ファイバー面と反対側に磨かれた光ファイバー面を有し、そして磨かれた面が第二の光ファイバーに光学連結を可能にする、請求項１の基板。
【請求項９】
核酸がＤＮＡである、請求項１の基板。
【請求項１０】
ピロホスフェート配列決定試薬がルシフェラーゼである、請求項１の基板。
【請求項１１】
ピロホスフェート配列決定試薬がスルフリラーゼである、請求項１の基板。
【請求項１２】
複数の核酸を処理する装置であって、該装置は以下のものを含む：
空洞光ファイバーウェーハを中に配置し、複数の個々の光ファイバーの第一の融合したバンドルから形成される流れチャンバ（ここで各個々の光ファイバーは３から１００μｍの直径を有し、ウェーハは上面と底面を含み、底面は光ファイバーの第二の融合したバンドルに光学連結を可能にするように高度に磨かれており、そして上面は少なくとも１００００ウェルを有し、ここで、該ウェルは空洞光ファイバーウェーハの上面内にエッチングされ、そして上面と底面間のウェーハの厚さは０．５ｍｍから５．０ｍｍであり、各ウェルの深さは、個々の光ファイバーの直径の２分の１から個々の光ファイバーの直径の３倍におよび、そして空洞ウェーハの上面上の複数のウェルはその中に核酸を有する）；
空洞ウェーハの上面上のウェル内の複数のビーズ（ここで、ビーズはそれに結合するピロホスフェート配列決定試薬を有する）；
追加のピロホスフェート配列決定試薬を１つ以上のリザーバーから該流れチャンバへ送達し、光ファイバーウェーハの上面上のウェル内の核酸が試薬に曝される、ヌクレオチド３リン酸の連続的な送達を含む流体手段；および、
各ウェルからの光学シグナルを検出する検出手段（ここで、検出手段はウェルと連絡し、各光学シグナルはピロホスフェート配列決定試薬のウェル中の核酸との反応の指標である）。
【請求項１３】
空洞光ファイバーウェーハ内の各個々の光ファイバーの直径が６−５０μｍである、請求項１２の装置。
【請求項１４】
検出手段がＣＣＤカメラである、請求項１３の装置。
【請求項１５】
核酸がＤＮＡである、請求項１２の装置。
【請求項１６】
ピロホスフェート配列決定試薬がルシフェラーゼである、請求項１２の装置。
【請求項１７】
ピロホスフェート配列決定試薬がスルフリラーゼである、請求項１２の装置。
【請求項１８】
核酸がウェル上に、またはビーズ上に固定化されている、請求項１２の装置。
【請求項１９】
空洞光ファイバーウェーハの上面がおよそ１０μｍからおよそ２００μｍ離れている２つ以上の核酸を含む、請求項１２の装置。
【請求項２０】
空洞光ファイバーウェーハの上面がおよそ１０μｍからおよそ１５０μｍ離れている２つ以上の核酸を含む、請求項１２の装置。
【請求項２１】
空洞光ファイバーウェーハの上面が、分離した領域に１０４以上の核酸配列を含む、請求項１２の装置。
【請求項２２】
空洞光ファイバーウェーハの上面が、分離した領域に１０５以上の核酸配列を含む、請求項１２の装置。
【手続補正２】
【補正対象書類名】明細書
【補正対象項目名】０１４０
【補正方法】変更
【補正の内容】
【０１４０】
ピロホスフェート配列決定反応によって生成された光子は、光子が焦点デバイス（例えば、光学レンズまたは光ファイバー）を通過する場合のみＣＣＤに捕獲され、そしてＣＣＤエレメント上に集束する。しかし、放射された光子は、全ての方向に等しく逃げるはずである。平坦アレイ（例えば、ＤＮＡチップ）を利用する場合、その後の「捕獲」および定量を最大にするために、平坦固体支持体で速やかに光子を収集することが好ましい。これは、以下：（ｉ）カバースリップと伝統的な光学レンズもしくは光ファイバーバンドルとの間で光学液浸オイルを利用する工程または、好ましくは（ｉｉ）カバースリップ自体に光ファイバーを直接組み込む工程のいずれかによって達成される。同様に、薄い、光学的に透明な平坦表面を使用する場合、光ファイバーバンドルはまた、裏表面に対して配置され得、反応／灌流チャンバの全体の深さを介して「画像化する」必要はなくなる。
１つの局面において、本発明は、複数の分析を処理する装置であって、該装置は、以下： 核酸分子をその上に配置した、複数の空洞表面を含む基板を中に配置した流れチャンバ；処理試薬を１つ以上のリザーバーから該流れチャンバへ送達し、それによって複数の微小粒子に固定された分析物が該試薬に曝される流体手段；および該複数の各微小粒子から光学シグナルの配列を検出し、該配列の各光学シグナルが処理試薬とそれに固定される該分析物との間の相互作用の指標である検出手段、ここで該検出手段が該空洞表面と連絡する検出手段を含む前記装置を具体化する。検出手段は、各々のデジタル画像における各々の該微小粒子から前記光学シグナルを相関付けて、配列を形成させるためのシグナル追跡手段をさらに含んでよい。シグナル追跡手段はＣＣＤカメラを含んでよく、そして分析物はＤＮＡを含んでよい。
【手続補正書】
【提出日】平成19年10月26日(2007.10.26)
【手続補正１】
【補正対象書類名】明細書
【補正対象項目名】特許請求の範囲
【補正方法】変更
【補正の内容】
【特許請求の範囲】
【請求項１】  哺乳動物の体内で機能的に連結した遺伝子のリズムを有する発現を誘導する、下記（a）から（ｇ）のいずれかに記載の単離Period 1プロモーターDNA。
（ａ）配列番号：1記載の塩基配列の第23位〜6787位を含むＤＮＡ
（ｂ）配列番号：2記載の塩基配列を含むＤＮＡ
（ｃ）配列番号：1記載の塩基配列の第23位〜6787位の相補鎖にストリンジェントな条件でハイブリダイズするＤＮＡ
（ｄ）配列番号：2記載の塩基配列の相補鎖にストリンジェントな条件でハイブリダイズするＤＮＡ
（ｅ）配列番号：1記載の塩基配列の第23位〜6787位からなる配列に１または数個の塩基が挿入、置換、欠失、付加したＤＮＡ
（ｆ）配列番号：2記載の塩基配列に１または数個の塩基が挿入、置換、欠失、付加したＤＮＡ
（ｇ）配列番号：1記載の塩基配列の第23位〜6787位からなるＤＮＡ
【請求項２】  哺乳動物が齧歯類である、請求項1記載の単離Period 1プロモーターDNA。
【請求項３】  請求項１または２に記載のPeriod 1プロモーターおよび該プロモーターと機能的に連結した遺伝子を含む組換えDNAであって、該遺伝子が哺乳動物の体内で該プロモーターの制御下でリズムを有するように発現される、組換えDNA。
【請求項４】  遺伝子がルシフェラーゼ遺伝子である、請求項３記載の組換えDNA。
【請求項５】  哺乳動物が齧歯類である、請求項３記載の組換えDNA。
【請求項６】  遺伝子が請求項１または２に記載のPeriod 1プロモーターDNAの制御下でリズムを有するように発現される、トランスジェニック非ヒト哺乳動物。
【請求項７】  遺伝子がレポーター遺伝子である、請求項６記載のトランスジェニック非ヒト哺乳動物。
【請求項８】  レポーター遺伝子がルシフェラーゼ遺伝子である、請求項７記載のトランスジェニック非ヒト哺乳動物。
【請求項９】  哺乳動物が齧歯類である、請求項６記載のトランスジェニック非ヒト哺乳動物。
【請求項１０】  齧歯類がマウスおよびラットからなる群より選択される、請求項９記載のトランスジェニック非ヒト哺乳動物。
【請求項１１】  請求項６記載の哺乳動物の子孫。
【請求項１２】  請求項１〜５のいずれか一項に記載のDNAを含む形質転換体。
【請求項１３】  形質転換体が請求項６〜１１のいずれか一項に記載の哺乳動物に由来する、請求項１２記載の形質転換体。
【請求項１４】  請求項１２記載の形質転換体における導入遺伝子の発現を改変する活性を有する化合物を試験またはスクリーニングする方法であって、
（a）該形質転換体を該化合物で処理する段階；および
（b）処理した形質転換体における該導入遺伝子の発現を測定する段階
を含む方法。
【請求項１５】  請求項６記載の哺乳動物における導入遺伝子の発現を改変する活性を有する化合物を試験またはスクリーニングする方法であって、
（a）該哺乳動物を該化合物で処理する段階；および
（b）処理した哺乳動物における該導入遺伝子の発現を測定する段階
を含む方法。
【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】  樹状細胞をトランスフェクトする方法であって、以下：
樹状細胞を提供する工程；
トランスフェクション剤を提供する工程であって、該トランスフェクション剤は、ポリヌクレオチドおよび微粒子を含み、該微粒子は、生分解性ポリマーおよびカチオン性界面活性剤を含む、工程；ならびに
該樹状細胞およびトランスフェクション剤を、該樹状細胞を該ポリヌクレオチドでトランスフェクトするのに十分な時間インキュベートする工程、
を包含する、方法。
【請求項２】  前記樹状細胞が、骨髄に由来する、請求項１に記載の方法。
【請求項３】  前記樹状細胞が、血液に由来する、請求項１に記載の方法。
【請求項４】  前記樹状細胞が、脊椎動物被験体に由来する、請求項１に記載の方法。
【請求項５】  前記樹状細胞が、ヒト被験体に由来する、請求項１に記載の方法。
【請求項６】  前記カチオン性界面活性剤が、ＣＴＡＢを含む、請求項１に記載の方法。
【請求項７】  前記カチオン性界面活性剤が、セトリミドを含む、請求項１に記載の方法。
【請求項８】  前記ポリマーが、ポリ（α−ヒドロキシ酸）である、請求項１に記載の方法。
【請求項９】  前記ポリマーが、ポリ（ラクチド）である、請求項１に記載の方法。
【請求項１０】  前記ポリマーが、Ｄ，Ｌ−ラクチドとグリコリドまたはグリコール酸とのコポリマーである、請求項１に記載の方法。
【請求項１１】  前記ポリマーが、ポリ（Ｄ，Ｌ−ラクチド−ｃｏ−グリコリド）である、請求項１に記載の方法。
【請求項１２】  前記ポリマーが、Ｄ，Ｌ−ラクチドとカプロラクトンとのコポリマーである、請求項１に記載の方法。
【請求項１３】  前記樹状細胞が、トランスフェクションの前に約５日間培養される、請求項１に記載の方法。
【請求項１４】  前記樹状細胞が、トランスフェクションの前に約１０日間培養される、請求項１に記載の方法。
【請求項１５】  前記樹状細胞およびトランスフェクト剤が、約２４時間インキュベートされる、請求項１に記載の方法。
【請求項１６】  前記ポリヌクレオチドが、プラスミドの形態で提供される、請求項１に記載の方法。
【請求項１７】  前記ポリヌクレオチドが、ウイルスに関連する抗原または腫瘍に関連する抗原をコードする、請求項１に記載の方法。
【請求項１８】  前記抗原が、ＨＩＶ、髄膜炎Ａ、髄膜炎Ｂまたは髄膜炎Ｃに関連する、請求項１７に記載の方法。
【請求項１９】  免疫応答を生成するための組成物であって、
請求項１７に記載の方法によって産生された樹状細胞の有効量
を含む、組成物。
【請求項２０】  前記樹状細胞が、脊椎動物被験体に由来する、請求項１９に記載の組成物。
【請求項２１】  前記樹状細胞が、前記脊椎動物被験体に対してＭＨＣ適合性の健常な脊椎動物被験体に由来する、請求項１９に記載の組成物。
【請求項２２】  前記樹状細胞が、非経口的に投与するために適していることを特徴とする、請求項１９に記載の組成物。
【請求項２３】  前記樹状細胞が、罹患組織内への直接注入によって投与するために適していることを特徴とする、請求項１９に記載の組成物。
【請求項２４】  免疫応答を必要とする脊椎動物被験体において免疫応答を生成するための組成物であって、
Ｔ細胞
を含み、該Ｔ細胞が、請求項１７に記載の方法によって産生された樹状細胞に供することによって活性化されることを特徴とする、組成物。
【請求項２５】  前記樹状細胞およびＴ細胞が、前記脊椎動物被験体に由来する、請求項２４に記載の組成物。
【請求項２６】  前記樹状細胞およびＴ細胞が、前記脊椎動物被験体に対してＭＨＣ適合性の健常な脊椎動物被験体に由来する、請求項２４に記載の組成物。
【請求項２７】  前記Ｔ細胞が、非経口的に投与するために適していることを特徴とする、請求項２４に記載の組成物。
【請求項２８】  前記Ｔ細胞が、罹患組織内への直接注入によって投与するために適していることを特徴とする、請求項２４に記載の組成物。
【請求項２９】  請求項１７に記載の方法によって作製された、抗原提示樹状細胞。
【請求項３０】  前記トランスフェクション剤が、約１ミクロンの直径を有する、請求項１に記載の方法。
【請求項３１】  前記トランスフェクション剤が、約１％  ｗ／ｗのポリヌクレオチドを含む、請求項１に記載の方法。
【手続補正書】
【提出日】平成19年10月1日(2007.10.1)
【手続補正１】
【補正対象書類名】明細書
【補正対象項目名】特許請求の範囲
【補正方法】変更
【補正の内容】
【特許請求の範囲】
【請求項１】  精製ＨＣＶ  ＲＮＡを調製するための方法であって、
ＨＣＶに感染した細胞培養物の上清からエキソソーム粒子を分離する工程、および
該エキソソーム粒子からＲＮＡを抽出する工程
を包含する、方法。
【請求項２】  前記エキソソーム粒子が、Ｃ型肝炎ウイルスに感染した個体の血漿から分離される、請求項１に記載の方法。
【請求項３】  前記エキソソーム粒子が、分画遠心分離によって前記細胞培養上清から調製される、請求項１または請求項２に記載の方法。
【請求項４】  前記細胞培養上清を、抗体でコートしたビーズと共にインキュベートする工程をさらに包含する、請求項３に記載の方法。
【請求項５】  前記エキソソーム粒子が、前記細胞培養上清を、抗体でコートしたビーズと共にインキュベートすることによって、前記細胞培養上清から調製される、請求項１または請求項２に記載の方法。
【請求項６】  前記抗体が、抗ＣＤ８１抗体または抗ＣＤ８２抗体である、請求項４または請求項５に記載の方法。
【請求項７】  前記ビーズが、磁気ビーズである、請求項４〜６のいずれか１項に記載の方法。
【請求項８】  前記ビーズが、ポリスチレンビーズである、請求項４〜６のいずれか１項に記載の方法。
【請求項９】  前記ＨＣＶ  ＲＮＡが、ウイルス抽出キットを使用して、前記エキソソーム粒子から抽出される、請求項１〜８のいずれか１項に記載の方法。
【請求項１０】  前記エキソソーム粒子が、ＣＤ８１タンパク質に富む、請求項１〜９のいずれか１項に記載の方法。
【請求項１１】  前記細胞培養物が、ヒト細胞培養物である、請求項１〜１０のいずれか１項に記載の方法。
【請求項１２】  個体をＨＣＶに感染していると診断するのを補助するための方法であって、
該個体由来の細胞の調製物の細胞上清からエキソソーム粒子を調製する工程、および
該エキソソーム粒子をＨＣＶ  ＲＮＡおよびＨＣＶタンパク質の存在について試験する工程
を包含する、方法。
【請求項１３】  前記細胞の調製物が、血漿調製物である、請求項１２に記載の方法。
【請求項１４】  精製ＨＣＶ粒子の調製物。
【請求項１５】  請求項１〜１３のいずれか１項に記載の方法に従って調製された、精製ＨＣＶ粒子の調製物。
【請求項１６】  ＨＣＶの診断、処置または予防のための、請求項１４または請求項１５に記載の精製ＨＣＶ粒子調製物。
【手続補正書】
【提出日】平成19年7月26日(2007.7.26)
【手続補正１】
【補正対象書類名】明細書
【補正対象項目名】特許請求の範囲
【補正方法】変更
【補正の内容】
【特許請求の範囲】
【請求項１】  第１層および第２層を含む微生物の増殖または貯蔵のための装置であって、前記第１層がゲル化剤と微生物増殖培地とを含み、前記第２層がゲル化剤を含み、前記装置が指示薬と対応する誘導物質とをさらに含み、前記第１層および第２層が互いに分離可能である装置。
【請求項２】  可視微生物コロニーの少なくとも８０％が分割し、前記層の分離時に前記第１層および第２層において複製物を形成し、前記第１層または第２層における前記複製物が遺伝子分析により検出可能である、請求項１に記載の装置。
【請求項３】  前記遺伝子分析による検出がハイブリダイゼーション、ポリメラーゼ連鎖反応、プラスミド制限分析、または発現スクリーニングである、請求項２に記載の装置。
【請求項４】  前記細菌がグラム陰性菌である、請求項１に記載の装置。
【請求項５】  微生物コロニー形成単位のレプリカを同時増殖し、得るための方法であって、
ａ）微生物コロニー形成単位を含む接種菌を、ゲル化剤と微生物増殖培地とを含む第１層とゲル化剤を含む第２層とを含み、前記第１層および第２層が互いに分離可能である装置に塗布して接種装置を形成することと、
ｂ）前記接種装置の前記第１層および第２層を接触してゲルを形成することと、
ｃ）少なくとも１つの細胞分裂のために十分な時間にわたり前記接種装置をインキュべートすることと、
ｄ）第１層および第２層を分離して前記微生物コロニー形成単位のレプリカを提供することと、
ｅ）前記微生物コロニー形成単位の分離を確認することと、を含む方法。
【請求項６】  前記第１層または第２層が指示薬と対応する誘導物質とをさらに含む、請求項５に記載の方法。
【請求項７】  前記方法が少なくとも１つの前記複製物における分子生物学操作を実施することをさらに含む、請求項５に記載の方法。
【手続補正書】
【提出日】平成19年8月28日(2007.8.28)
【手続補正１】
【補正対象書類名】明細書
【補正対象項目名】特許請求の範囲
【補正方法】変更
【補正の内容】
【特許請求の範囲】
【請求項１】  以下の過程を含む哺乳動物のエウスタキオ管の管腔の開放及び圧力平準化作用を増大及び強化する方法：
一又は複数の脂質及び一又は複数の延展剤であって、該脂質と該延展剤を全て粉末の形態にあるコレステリルエステル、リン脂質、炭化水素、及びタンパク質から成る群から選択するもの、中耳炎の処置に有効な治療活性剤、及び該脂質、該延展剤及び該治療活性剤の全てが不溶性である一又は複数のフルオロカーボン噴射剤の混合物であって、該混合物の全質量に基づいて、該脂質が約８０〜９９．５質量％の量で存在し、かつ該延展剤が約０．５〜約２０質量％の量で存在し、ここで、治療活性剤と組み合わせた脂質結晶の混合物が形成される、混合物を製造する過程；
該脂質結晶の混合物の投与量を、哺乳動物の外部鼻口を通してエーロゾルとして投与する過程；
この場合、該混合物から噴射剤が蒸発し、該脂質結晶がエウスタキオ管の管腔組織と接触してその上に沈積し、その上に非晶質の延展したフィルムを形成して、該管の開放圧力を有効に減少させる。
【手続補正書】
【提出日】平成19年10月31日(2007.10.31)
【手続補正１】
【補正対象書類名】明細書
【補正対象項目名】特許請求の範囲
【補正方法】変更
【補正の内容】
【特許請求の範囲】
【請求項１】  式（Ｉ）の化合物又はその生理学的に許容されうる酸付加塩のうちの一つ、
【化１】
2003514854.tif 000001
［式中、Ｘはハロゲンであり；Ｘ１は水素又はハロゲンであり；Ｘ２は水素又はハロゲンであり；Ｙは部分的もしくは完全にハロゲン化されたＣ１〜Ｃ６−アルキル；又は部分的もしくは完全にハロゲン化された酸素原子が介在しているＣ１〜Ｃ６−アルキル；又は部分的もしくは完全にハロゲン化されたＣ２〜Ｃ６−アルケニルであるか；又は−Ｏ−Ｙが３位に存在する場合には
【化２】
2003514854.tif 000002
なる基を表し；Ｙ１は水素又はハロゲンであり；Ｙ２は水素又はハロゲンであり；Ｙ３は水素又はハロゲンであり；Ｚ１は水素又はＣ１〜Ｃ３−アルキルであり；Ｚ２は水素又はＣ１〜Ｃ３−アルキルであり；かつＵは水素又はハロゲンである］の、
サカナにおける海シラミ（ｓｅａ  ｌｉｃｅ）侵入を抑制する方法における活性物質としての使用であって、１−［３，５−ジクロロ−４−（１，１，２，２−テトラフルオロエトキシ）フェニル］−（２，６−ジフルオロベンゾイル）−ウレアを除く、前記使用。
【請求項２】  以下の化合物：１−［４−クロロ−３−（３−クロロ−５−トリフルオロメチル−２−ピリジルオキシ）フェニル］−３−（２，６−ジフルオロベンゾイル）ウレア；１［３，５−ジクロロ−４−（３−３−クロロ−５−トリフルオロメチル−２−ピリジルオキシ）フェニル］−３−（２，６−ジフルオロベンゾイル）ウレア；（±）−１−［３−クロロ−４−（１，１，２，トリフルオロ−２−トリフルオロメトキシエトキシ）−フェニル］−３−（２，６−ジフルオロベンゾイル）ウレア、又は（Ｒ，Ｓ）−１−［２，５−ジクロロ−４−（１，１，２，２，３，３，３−ヘキサフルオロプロポキシ）−フェニル］−３−（２，６−ジフルオロベンゾイル）ウレアのうちの一つが、式（Ｉ）の活性成分として選択される、請求項１記載の使用。
【請求項３】  式（Ｉ）の活性成分が、体重１ｋｇ当たり１０〜１００ｍｇの投与量で投与される、請求項１又は２のいずれかに記載の使用。
【請求項４】  治療を受けるサカナが、侵入を抑制するための適当な単回用量を各サカナに投与する自動接種装置を通過するよう一列に並んで導かれる、請求項１又は２のいずれかに記載の使用。
【請求項５】  サカナの群れが、付加的な障害物を有する狭い通路を進むよう強制され、その結果、この狭い通路を一列に並んで進まされ、かつ付加的な障害物の位置で短時間停止しなければならず、それにより適当な注射装置によって有効用量の請求項１又は２のいずれかに記載の式（Ｉ）の化合物が各サカナに投与される、請求項４記載の使用。
【請求項６】  さらなる障害物が、水流を横切り、従って群れの通路を横切っている１個以上の格子からなる、請求項５記載の使用。
【請求項７】  センサーを通過する各サカナが接触することにより、注射装置が適当な位置に移動し、注射が実施され、そして注射の実施後、通路が再び開放されるよう、さらなる障害物が機械センサー、光センサー、熱センサー、又は運動センサーにより制御される、請求項６記載の使用。
【請求項８】  請求項１又は２のいずれかに記載の式（Ｉ）の化合物を活性成分として含有する、サカナ寄生虫の処理においてサカナに対して使用するための注射用調製物。
【請求項９】  ０．１〜９９重量％の請求項１又は２のいずれかに記載の式（Ｉ）の化合物と、０〜２５重量％のサカナに対して無毒な界面活性剤を含む９９．９〜１重量％の液状の生理学的に許容されうる賦形剤と、水とが共に混合される、サカナ寄生虫を抑制するための組成物の調製法。
【請求項１０】  サカナに対する寄生虫の抑制法において使用するための、請求項１又は２のいずれかに記載の式（Ｉ）の活性成分。
【手続補正書】
【提出日】平成19年10月26日(2007.10.26)
【手続補正１】
【補正対象書類名】明細書
【補正対象項目名】請求項９
【補正方法】変更
【補正の内容】
【請求項９】ロジウム／フォスファイトリガンド複合体及び遊離の二座配位子フォスファイトリガンドを、高沸点のハイドロホルミル化化合物をも含有するハイドロホルミル化混合物から、該混合物を重合体膜に接触させることにより分離する方法において、該ハイドロホルミル化混合物が、３−ペンテン酸アルキル及び／又は４−ペンテン酸アルキルを、ロジウム／二座配位子フォスファイトリガンド複合体触媒を用いて一酸化炭素及び水素と反応させることにより５−ホルミル吉草酸アルキルを製造するためのハイドロホルミル化プロセスから誘導されたものであり、吉草酸アルキル又は吉草酸アルキルと１種以上のペンテン酸アルキル化合物を含む混合物を用いて、該混合物中の高沸点化合物の量が≦５０重量％（混合物全量に対して）であり且つｘ±２００（ここでｘは膜のカットオフ（ｇ／モル）である）の分子量の化合物の量が≦２０重量％（混合物全量に対して）である程度に、該混合物が希釈されるところの方法。
【手続補正書】
【提出日】平成19年9月13日(2007.9.13)
【手続補正１】
【補正対象書類名】明細書
【補正対象項目名】特許請求の範囲
【補正方法】変更
【補正の内容】
【特許請求の範囲】
【請求項１】  荷電有機キヤリアおよび荷電抗原を含む免疫原性複合体であって、有機キヤリアおよび抗原が静電的に会合し、この電荷抗原がＣ型肝炎ウイルス（ＨＣＶ）のポリタンパク質もしくはそのフラグメントであるか、または上記ポリタンパク質もしくはそのフラフメントを含む融合タンパク質である免疫原性複合体。
【請求項２】  上記ポリタンパク質がＨＣＶのコアタンパク質である、請求項１に記載の免疫原性性複合体。
【請求項３】  上記キヤリアが負に帯電してなる、請求項１に記載の免疫原性複合体。
【請求項４】  上記キヤリアがアジュバントである、請求項１に記載の免疫原性複合体。
【請求項５】  上記キヤリアが負電荷を帯びたアジュバントである、請求項４に記載の免疫原性複合体。
【請求項６】  負電荷を帯びた上記アジュバントが、天然に負電荷を帯びたアジュバントである、請求項５に記載の免疫原性複合体。
【請求項７】  負電荷を帯びたアジュバントが、負電荷の度合いを増加するように修飾されてなる、天然に負電荷を帯びたアジュバントである、請求項５に記載の免疫原性複合体。
【請求項８】  上記アジュバントがサポニンを含む、請求項４に記載の免疫原性複合体。
【請求項９】  上記アジュバントがサポニン複合体を含む、請求項４に記載の免疫原性複合体。
【請求項１０】  上記サポニン複合体がISCOMATRIXTMである、請求項９に記載の免疫原性複合体。
【請求項１１】  上記アジュバントがリン脂質を含む、請求項４に記載の免疫原性複合体。
【請求項１２】  上記リン脂質がホスホグリセリドである、請求項１１に記載の免疫原性複合体。
【請求項１３】  ホスホグリセリドがホスファチジル・イノシトール、ホスファチジル・グリセロール、ホスファチジン酸およびカルジオリピンからなる群から選択される、請求項１２に記載の免疫原性複合体。
【請求項１４】  上記リン脂質が脂質Aである、請求項１１に記載の免疫原性複合体。
【請求項１５】  上記脂質Aが、ジホスホリル脂質Aおよびモノホスホリル脂質Aからなる群から選択される、請求項１４に記載の免疫原性複合体。
【請求項１６】  上記複合体が細胞傷害性のT−リンパ球反応を誘発する、請求項１に記載の免疫原性複合体。
【請求項１７】  荷電有機キヤリアおよび荷電抗原を含む免疫原性複合体を、活性成分として、医薬として許容される一種もしくは２種以上のキヤリアおよび／または希釈剤と共に含むワクチン組成物であって、キヤリアおよび抗原が静電的に会合してなり、かつ、この荷電抗原がＣ型肝炎ウイルス（ＨＣＶ）のポリタンパク質もしくはそのフラグメントであるか、または上記ポリタンパク質もしくはそのフラフメントを含む融合タンパク質である、前記ワクチン組成物。
【請求項１８】  上記ポリタンパク質がHCVのコアタンパク質である、請求項１７に記載のワクチン組成物。
【請求項１９】  上記キヤリアが負の電荷を帯びて成る、請求項１７に記載のワクチン組成物。
【請求項２０】  上記キヤリアがアジュバントである、請求項１７に記載のワクチン組成物。
【請求項２１】  上記キヤリアが負の電荷を帯びてなるアジュバントである、請求項２０に記載のワクチン組成物。
【請求項２２】  負の電荷を帯びた上記アジュバントが天然に負の電荷を帯びたアジュバントである、請求項２１に記載のワクチン組成物。
【請求項２３】  負の電荷を帯びた上記アジュバントが、負電荷の度合いを高めるように修飾されてなる、天然に負の電荷を帯びたアジュバントである、請求項２１に記載のワクチン組成物。
【請求項２４】  上記アジュバントがサポニンを含む、請求項２０に記載のワクチン組成物。
【請求項２５】  上記アジュバントがサポニン複合体である、請求項２０に記載の免疫原性複合体。
【請求項２６】  上記サポニン複合体がISCOMATRIXTMである、請求項２５に記載のワクチン組成物。
【請求項２７】  上記アジュバントがリン脂質を含む、請求項２０に記載のワクチン組成物。
【請求項２８】  上記リン脂質がホスホグリセリドである、請求項２７に記載のワクチン組成物。
【請求項２９】  ホスホグリセリドが、ホスフアチジル・イノシトール、ホスフアチジル・グリセロール、ホスフアチジン酸およびカルジオリピンからなる群から選択される、請求項２８に記載のワクチン組成物。
【請求項３０】  上記リン脂質が脂質Aである、請求項２７に記載のワクチン組成物。
【請求項３１】  脂質Aがジホスホリル脂質Aおよびモノホスホリル脂質Aからなる群から選択される、請求項３０に記載のワクチン組成物。
【請求項３２】  上記組成物が細胞傷害性のT−リンパ球反応を誘発する、請求項１７に記載のワクチン組成物。
【請求項３３】  一種または２種以上の追加HCVタンパク質をさらに含む、請求項１７に記載のワクチン組成物。
【請求項３４】  追加HCVタンパク質が、非構造タンパク質、E1外膜タンパク質、E2外膜タンパク質、これらタンパク質の一つの免疫原性フラグメント、およびこれらのタンパク質およびフラグメントの組み合わせからなる群から選択される、請求項３３に記載のワクチン組成物。
【請求項３５】  病状の徴候または悪化を抑制、停止,遅延または予防するために用いる医薬物質であって、上記医薬物質が請求項１に記載の免疫原性複合体を含む医薬物質。
【請求項３６】  病状の徴候または悪化を抑制、停止,遅延または予防するために用いる医薬物質であって、上記医薬物質が請求項１７に記載のワクチン組成物を含む医薬物質。
【請求項３７】  上記病状がHCV感染の結果である、請求項３５または３６記載の医薬物質。
【手続補正書】
【提出日】平成19年10月30日(2007.10.30)
【手続補正１】
【補正対象書類名】明細書
【補正対象項目名】請求項１
【補正方法】変更
【補正の内容】
【請求項１】
式I
【化１】
2003514821.tif 000001
（式中、
R1およびR2は、それぞれ互いに独立して、A1、OA1、SA1またはHalを示し、
A1は、H、A、アルケニル、シクロアルキルまたはアルキレンシクロアルキルを示し、
Aは、1〜10個の炭素原子を有するアルキルを示し、
Halは、F、Cl、BrまたはIを示し、そして
Xは、O、S、SOまたはSO2を示す）
のイミダゾール化合物、あるいはそれらの生理学的に許容し得る塩および／または溶媒和物。
【手続補正２】
【補正対象書類名】明細書
【補正対象項目名】請求項２
【補正方法】変更
【補正の内容】
【請求項２】
医薬としての、請求項１に記載の式Iのイミダゾール化合物、あるいはそれらの生理学的に許容し得る塩および／または溶媒和物。
【手続補正３】
【補正対象書類名】明細書
【補正対象項目名】請求項４
【補正方法】変更
【補正の内容】
【請求項４】
アレルギー性疾患、喘息、慢性気管支炎、アトピー性皮膚炎、乾癬またはその他の皮膚疾患、炎症性疾患、例えばリウマチ様関節炎などの自己免疫疾患、多発性硬化症、クローン病、糖尿病または潰瘍性大腸炎、骨粗鬆症、移植拒絶反応、悪液質、腫瘍増殖または腫瘍転移、敗血症、記憶障害、アテローム性動脈硬化症、あるいはエイズに対抗するための、請求項３に記載の医薬。
【手続補正４】
【補正対象書類名】明細書
【補正対象項目名】請求項６
【補正方法】変更
【補正の内容】
【請求項６】
アレルギー性疾患、喘息、慢性気管支炎、アトピー性皮膚炎、乾癬またはその他の皮膚疾患、炎症性疾患、例えばリウマチ様関節炎などの自己免疫疾患、多発性硬化症、クローン病、糖尿病または潰瘍性大腸炎、骨粗鬆症、移植拒絶反応、悪液質、腫瘍増殖または腫瘍転移、敗血症、記憶障害、アテローム性動脈硬化症、あるいはエイズに対抗するための医薬の製造のための、請求項１に記載の式Iの化合物および／またはそれらの生理学的に許容し得る塩もしくは溶媒和物の使用。
【手続補正５】
【補正対象書類名】明細書
【補正対象項目名】０００１
【補正方法】変更
【補正の内容】
【０００１】
本発明は、式I
【化３】
2003514821.tif 000002
（式中、
R1およびR2は、それぞれ互いに独立して、A1、OA1、SA1またはHalを示し、
A1は、H、A、アルケニル、シクロアルキルまたはアルキレンシクロアルキルを示し、
Aは、1〜10個の炭素原子を有するアルキルを示し、
Halは、F、Cl、BrまたはIを示し、そして
Xは、O、S、SOまたはSO2を示す）
のイミダゾール化合物、あるいはそれらの生理学的に許容し得る塩および／または溶媒和物に関する。
【手続補正書】
【提出日】平成19年10月24日(2007.10.24)
【手続補正１】
【補正対象書類名】明細書
【補正対象項目名】０００７
【補正方法】変更
【補正の内容】
【０００７】
さらなる本発明の化合物の亜群は、化合物Ｉｓ：
【化１１】
2003514806.tif 000001
［式中、Ｘ、Ｒ４、Ｒ５、およびＲ６は上記に定義したとおりである]の遊離形または塩形の化合物である。
【手続補正書】
【提出日】平成19年11月2日(2007.11.2)
【手続補正１】
【補正対象書類名】明細書
【補正対象項目名】特許請求の範囲
【補正方法】変更
【補正の内容】
【特許請求の範囲】
【請求項１】  式（１）：
【化１】
2003514805.tif 000001
（式中
Ａは、式（１ａ）；（１ｂ）；又は（１ｃ）：
【化２】
2003514805.tif 000002
の基であり；
Ｂは、式（１ｄ）；（１ｅ）；（１ｆ）；（１ｇ）；（１ｈ）；（１ｉ）；（１ｋ）；（１ｌ）；（１ｍ）；又は（１ｎ）：
【化３】
2003514805.tif 000003
の基であり；
Ｒ1、Ｒ2、Ｒ3、Ｒ4、Ｒ5及びＲ6は、互いに独立して、水素、Ｃ1−Ｃ16アルキル；Ｃ5−Ｃ7シクロアルキル；又はハロゲンであり；
Ｒ9は、水素、Ｃ1−Ｃ12アルキル；又はＣ5−Ｃ7シクロアルキルであり；
Ｒ7、Ｒ8及びＲ10は、互いに独立して水素、Ｃ1−Ｃ12アルキル、Ｃ5−Ｃ7シクロアルキル又はＣ1−Ｃ12ヒドロキシアルキルであり；
Ｘは、ハロゲン；式（１ｓ）、（１ｔ）；若しくは（１ｕ）：
【化４】
2003514805.tif 000004
の基；硫酸イオン、リン酸イオン、乳酸イオン、クエン酸イオン又は酒石酸イオンであり；
Ｒ11は、Ｃ1−Ｃ12アルキル；又はＣ5−Ｃ7シクロアルキルであり；
Ｒ12及びＲ13は、互いに独立して、水素；又はＣ1−Ｃ5アルキルであり；
ｘは、０〜１０であり；そして
ｙは、１〜２０である）の化合物の、ヒト毛髪をＵＶ放射線から保護するための化粧処理における使用。
【請求項２】  Ａが、式（１ａ）又は（１ｂ）の基である場合の請求項１記載の式（１）の化合物の調製方法であって、式（１８）：
【化８】
2003514805.tif 000005
の酸塩化物を式（１′ａ）：
【化９】
2003514805.tif 000006
の対応するアミンと、又は式（１′ｂ）：Ｈ−Ｏ−（ＣＨ2）y−Ｂのアルコール化合物とそれぞれ反応させ、場合により、続けて第四級化する（ここで、
Ｒ1、Ｒ2、Ｒ3、Ｒ4、Ｒ5、Ｒ6、Ｒ9、Ｂ、ｘ及びｙは、請求項１と同義である）ことを含む方法。
【請求項３】  毛髪及び皮膚化粧用に許容されうる担体又は補助剤を伴う、１種以上の請求項１記載の式（１）の化合物を含む毛髪化粧用調製物。
【請求項４】  調製物が、シャンプー、洗髪の前若しくは後、着色又は脱色の前若しくは後、パーマネントウエーブ又は脱整髪操作（destyling operation）の前若しくは後のリンス用ローション、ゲル（ジェル）又はエマルションの形態、整髪又はトリートメント用のローション、フォーム又はゲルの形態、ブラッシング又はウエービンク用のローション、フォーム又はゲルの形態、ヘアースプレーの形態、或いはパーマネントウエーブ、脱整髪又は毛髪の着色若しくは脱色用の組成物の形態である、天然及び染めた毛髪を紫外線から保護する請求項３記載の毛髪化粧用調製物の使用。
【請求項５】  天然及び染めたヒトの毛髪をＵＶ放射線から保護するための処理方法であって、シャンプー、洗髪の前若しくは後、着色又は脱色の前若しくは後、パーマネントウエーブ又は脱整髪操作（destyling operation）の前若しくは後のリンス用ローション、ゲル又はエマルションによる、整髪用のローション、フォーム又はゲルによる、ブラッシング又はウエービンク用のローション、フォーム又はゲルによる、ヘアースプレーによる、或いはパーマネントウエーブ、脱整髪又は毛髪の着色若しくは脱色用の組成物による毛髪の処理を含み、シャンプー、ローション、ゲル、エマルション、フォーム、ヘアースプレー或いはパーマネントウエーブ、脱整髪又は毛髪の着色若しくは脱色用の組成物が、少なくとも１種の請求項１記載の式（１）のＵＶ吸収剤を含む方法。
【請求項６】  織物繊維材料の太陽光線保護指数を増加させる方法であって、１種以上の請求項１記載の式（１）の化合物を水溶液又は水性有機溶液中で繊維材料に適用し、定着する方法。
【請求項７】  未染色、染色又は印刷織物繊維材料の光線保護指数を増加させるための請求項１記載の式（１）の化合物の使用。
【請求項８】  未染色、染色又は印刷織物繊維材料の光化学安定化における請求項１記載の式（１）の化合物の使用。
【請求項９】  パーソナルケア調製物における抗菌作用成分又は防腐剤としての請求項１記載の式（１）の化合物の使用。
【請求項１０】  請求項１記載の式（１）の化合物を組成物の全重量に対して０．０１〜１５重量％と経口用として許容されうる補助剤とを含有する経口組成物。
【請求項１１】  紙及び厚紙の光化学安定化における請求項１記載の式（１）の化合物の使用。
【請求項１２】  パーソナルケア製品及び家庭用品の安定化における請求項１記載の式（１）の化合物の使用。
【請求項１３】  下記式：
【化１４】
2003514805.tif 000007
2003514805.tif 000008
2003514805.tif 000009
の化合物。
【手続補正書】
【提出日】平成19年3月23日(2007.3.23)
【手続補正１】
【補正対象書類名】明細書
【補正対象項目名】００８８
【補正方法】変更
【補正の内容】
【００８８】
高親和性抗体を産生する変異型Ｈ３６細胞株の遺伝子配列の分析
前記親クローンと比べ、前記抗体の親和性上昇に寄与する前記免疫グロブリンコード配列の変異について、前記Ｈ３６変異型細胞株によって産生された抗体の軽鎖および重鎖の核酸配列を検討した。この結果は、表３に示した。このデータは、前記重鎖および軽鎖の可変ドメイン両方におけるプロリン置換が、抗体の抗原に対する親和性上昇に寄与することを示している。特定のホットスポットは、配列ＩＤ番号：１８のアミノ酸の６位にあるように見られ、ここにおいてアミノ酸置換が起こり、ＨＢ９１−４７、ＨＢ１３４ＤＲＭＡ１３、ＨＢ１３４ＤＲＭＡ５５で前記親配列のアラニンがプロリンに変化した。これら３つのクローンは、９位および１０位の変異も有していた。９位では、前記親配列のバリンがグリシンまたはアルギニンに置換されていたが、配列ＩＤ番号：１８の１０位で、前記親配列のアルギニンがいずれの場合もリジンに置換されていた。
【手続補正２】
【補正対象書類名】明細書
【補正対象項目名】配列表
【補正方法】変更
【補正の内容】
【配列表】
2007500508000001.app
【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
次の工程を含む、空気調和又は冷凍システムにおける構成要素を清浄化する方法：
（ａ）液体溶剤をフラッシュして構成要素を通過させ、構成要素に存在する汚染物質を除去する工程；
（ｂ）工程(ａ)においてフラッシュされて前記構成要素を通過した溶剤を蒸発させる工程；
（ｃ）汚染物質を含む前記溶剤を浄化するために、工程(ｂ)において蒸発された前記溶剤から汚染物質を除去する工程；
（ｄ）前記浄化され蒸発された溶剤を液化する工程；
（ｅ）前記液化された溶剤を再使用して、前記構成要素を洗浄する工程；及び
（ｆ）工程(ａ)〜(ｅ)を連続工程で行う工程。
【請求項２】
前記溶剤は、沸点が約１０℃〜約４５℃の範囲にある請求項１記載の方法。
【請求項３】
前記溶剤は、沸点が約０℃〜約６１℃の範囲にある請求項１記載の方法。
【請求項４】
前記溶剤がＨＦＣ−２４５ｆａを含む請求項１記載の方法。
【請求項５】
前記溶剤がハイドロフルオロカーボンを含む請求項１記載の方法。
【請求項６】
前記溶剤が不燃性のハイドロフルオロカーボンを含む請求項５記載の方法。
【請求項７】
前記溶剤がトランス-１，２-ジクロロエチレンを含む請求項１記載の方法。
【請求項８】
溶剤を使用し空気調和又は冷凍システムにおける構成要素に存在する汚染物質を取り除き、再使用のために溶剤を回収及び清浄化する装置であって、
構成要素を通過するように液体溶剤がフラッシュされると共に、前記構成要素に流体接続可能であって該構成要素に溶剤を供給する液体溶剤の供給源と、
溶剤がフラッシュされて構成要素を通過した後に溶剤が流入すると共に、前記構成要素に流体接続可能であって該構成要素から溶剤が流入する膨張弁と、
前記膨張弁に流体接続され、膨張弁から流出した溶剤が流入すると共に溶剤を蒸発させる蒸発器と、
前記蒸発器に流体接続され、前記蒸発された溶剤から前記汚染物質を除去し、それによって前記溶剤を浄化する分離器と、
前記分離器に流体接続され、前記蒸発された溶剤を圧縮する圧縮機と、
前記圧縮機に流体接続され、前記溶剤を液体に凝縮すると共に、液体溶剤の前記供給源に流体接続可能であって該供給源に前記溶剤を戻す凝縮器と、
を含む装置。
【請求項９】
前記装置は、ハイドロフルオロカーボンを含み、かつ沸騰温度が約０℃〜約６１℃の範囲にある溶剤を用いて、作動するように構成される請求項８記載の装置。
【手続補正書】
【提出日】平成19年4月11日(2007.4.11)
【手続補正１】
【補正対象書類名】特許請求の範囲
【補正対象項目名】全文
【補正方法】変更
【補正の内容】
【特許請求の範囲】
【請求項１】
上主面および下主面を有し、一つの主面上で第１の方向において列をなして配列され間隔を開けて分離して配置された突出部材を有するフィルムバッキングを含み、前記フィルムバッキングが少なくとも前記第１の方向で延伸され、前記フィルムバッキングが反対側の１つの主面上で、前記第１の方向に対しある角度で延在する、分離された連続の表面要素を更に有する、熱可塑性樹脂の一体型ファスナー。
【請求項２】
前記表面要素が、それぞれがその近傍と分離した不連続な構造である、請求項１に記載の一体型ファスナー。
【請求項３】
前記表面要素が連続したリブである、請求項１に記載の一体型ファスナー。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
互いに積み重ねられている材料層の少なくとも２つの部分の間に貫流可能な空隙が存在するように、その形状を維持したままそれ自体に巻き上げられるか又は円筒体に配置される少なくとも１つの多孔性材料層、及び
有機金属錯化合物、金属、金属酸化物、合金、酵素、又はそれらの混合物からなる群から選択される化学的及び／又は生物学的反応のための支持体上に本質的に固定化された触媒活性単位、
を含む、層状構造を含む炭素ベースの多孔性支持体。
【請求項２】
多数の材料層を含むこと、及び互いに積み重ねて配置される各々２つの材料層の間に、
少なくとも１つの空隙が存在することを特徴とする、請求項１に記載の支持体。
【請求項３】
各々２つの材料層の間の、又は１つの巻上げられた材料層の各々２つの部分の間の空隙
が、本質的に互いに平行に延びる多数の溝を有することを特徴とする、請求項１又は２に
記載の支持体。
【請求項４】
本質的に互いに平行に配置される前記溝が各々、約１ｎｍ〜約１ｍ、特に約１ｎｍ〜約
１０ｃｍ、好ましくは１０ｎｍ〜１０ｍｍ、特に好ましくは５０ｎｍ〜１ｍｍの範囲の平
均溝直径であることを特徴とする、請求項１〜３のいずれか一項に記載の支持体。
【請求項５】
本質的に平行に延びる前記溝が、層内で線状、波状、蛇行状、又はジグザグ状であるこ
とを特徴とする、請求項１〜４のいずれか一項に記載の支持体。
【請求項６】
前記多孔性材料層及び／又は溝壁が、約１ｎｍ〜１０ｃｍ、好ましくは１０ｎｍ〜１０
ｍｍ、特に好ましくは５０ｎｍ〜１ｍｍの範囲の平均細孔サイズであることを特徴とする
、請求項１〜５のいずれか一項に記載の支持体。
【請求項７】
繊維、紙、布、又はポリマー材料ベースの、場合により、構造化、巻上げ、エンボス加
工、予備処理、及び／又は折られたシート材料の炭化によって製造されるモジュール構造
物が多孔性支持体として用いられることを特徴とする、請求項１〜６のいずれか一項に記
載の支持体。
【請求項８】
前記多孔性支持体の外面が、触媒単位に対して本質的に不透過性であり反応媒体並びに
反応エダクト及び反応生成物に対して透過性である半透性分離層と少なくとも部分的に直
接接触しており、前記支持体の残りの外面が存在する場合、場合により可逆的に封止され
ることを特徴とする、請求項１〜７のいずれか一項に記載の支持体。
【請求項９】
ハウジング内に配置されるか、又は、フラスコ、ビン、撹拌型反応器、固定床反応器、
流動床反応器、管形反応器等の化学的又は生物学的反応器の反応器から選択される、適当
な容器の中又は上に配置されることを特徴とする、請求項１〜８のいずれか一項に記載
の支持体。
【請求項１０】
炭素ベースの前記多孔性支持体が、活性化炭素、焼結活性化炭素、非晶質、結晶質、又
は半結晶質炭素、黒鉛、熱分解によって製造された炭素含有材料、炭素繊維、又は金属又
は非金属のカーバイド、カルボニトリド、オキシカーバイド又はオキシカルボニトリド、
並びにそれらの混合物から本質的に成ることを特徴とする、請求項１〜９のいずれか一
項に記載の支持体。
【請求項１１】
前記多孔性支持体の平均細孔サイズが約１ｎｍ〜１０ｃｍ、好ましくは約１０ｎｍ〜１
０ｍｍ、特に約５０ｎｍ〜１ｍｍ、及び特に２オングストローム〜１ミリメートル、好ま
しくは１０ナノメートル〜１マイクロメートル、特に好ましくは１マイクロメートル〜４
００マイクロメートルであることを特徴とする、請求項１〜１０のいずれか一項に記載の
支持体。
【請求項１２】
多孔体として、ポリマー材料の炭化によって製造された成形品が用いられることを特徴
とする、請求項１〜１１のいずれか一項に記載の支持体。
【請求項１３】
前記半透性分離層が、エポキシ樹脂、フェノール樹脂、ＰＴＦＥ、ポリアクリロニトリ
ルコポリマー、セルロース、セルロースアセテート、セルロースブチラート、セルロース
ニトレート、ビスコース、ポリエーテルイミド、ポリ（オクチルメチルシラン）、ポリビ
ニリデンクロリド、ポリアミド、ポリ尿素、ポリフラン、ポリカーボネート、ポリエチレ
ン、ポリプロピレン、及び／又はそれらのコポリマーからなる群から選択されるポリマー
膜を含むことを特徴とする、請求項８〜１２のいずれか一項に記載の支持体。
【請求項１４】
前記半透性分離層が、炭素繊維、活性化炭素、熱分解炭素、単一壁又は多壁炭素ナノチ
ューブ、炭素分子ふるい、及び特にＣＶＤ又はＰＶＤによって堆積された炭素含有材料か
らなることを特徴とする、請求項８〜１２のいずれか一項に記載の支持体。
【請求項１５】
前記半透性分離層が、ガラス、二酸化ケイ素、ケイ酸塩、酸化アルミニウム、ケイ酸ア
ルミニウム、ゼオライト、酸化チタン、酸化ジルコニウム、窒化ホウ素、ケイ酸ホウ素、
ＳｉＣ、窒化チタン、及びそれらの組合せ等からなる群からの材料から選択されたセラミ
ック膜を含むことを特徴とする、請求項８〜１２のいずれか一項に記載の支持体。
【請求項１６】
前記半透性分離層が、３オングストローム〜１ｍｍ、好ましくは１ｎｍ〜１００μｍ、
最も好ましくは１０ｎｍ〜１０μｍの厚さであることを特徴とする、請求項１５に記載の支持体。
【請求項１７】
前記半透性分離層の平均細孔直径が３オングストローム〜１ｍｍ、好ましくは１ｎｍ〜
１００μｍ、最も好ましくは１０ｎｍ〜１０μｍであることを特徴とする、請求項１３〜
１６のいずれか一項に記載の支持体。
【請求項１８】
前記支持体の外面が、前記触媒単位に対して本質的に不透過性である半透性分離層と少なくとも部分的に直接接触していることを特徴とする、請求項１〜１７のいずれか一項に記載の多孔性支持体を含む化学的及び／又は生物学的反応のための触媒ユニット。
【請求項１９】
請求項１〜１８のいずれか一項に記載の１つ以上の多孔性支持体を含む、化学的及び／
又は生物学的反応のための反応器。
【請求項２０】
請求項１８に記載の１つ以上の触媒ユニットを含む、化学的及び／又は生物学的反応のための反応器。
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
吸収性ねじファスナーであって：
長軸方向軸を規定し、かつ近位端および遠位端を有する本体部分であって、その上に形成されたらせん状ねじ山を有し、該らせん状ねじ山が第１の距離を有する、本体部分；および
該本体部分の近位端に配置されたヘッド部分であって、該本体部分に直線運動および回転運動の両方を伝達するために、その中に形成されたドライバー受容構造を有し、該らせん状ねじ山の第１の距離に実質的に等しい外径を有する、ヘッド部分、を備える、吸収性ねじファスナー。
【請求項２】
中心シャフトが、狭い遠位端からより大きな近位部分までテーパー状である、請求項１に記載の吸収性ねじファスナー。
【請求項３】
前記ドライバー受容構造が、前記ヘッド部分の外側半径方向表面に形成された実質的に平坦な表面をさらに規定する、請求項１に記載の吸収性ねじファスナー。
【請求項４】
前記実質的に平坦な表面が、前記ねじ山の外側半径方向表面の少なくとも一部分まで延びる、請求項３に記載の吸収性ねじファスナー。
【請求項５】
前記吸収性ねじファナスーが、Ｌ１、Ｌ４、ＰＧＡ、ＰＧＢ、およびＰＬＡからなる群から選択される少なくとも１つの材料から形成される、請求項１に記載の吸収性ねじファスナー。
【請求項６】
前記本体部分の遠位端が、平滑である、請求項１に記載の吸収性ねじファスナー。
【請求項７】
前記ねじ山のランドが、前記長軸方向軸に対して実質的に垂直である、請求項１に記載の吸収性ねじファスナー。
【請求項８】
前記ねじ山の距離が、実質的に拡大される、請求項１に記載の吸収性ねじファスナー。
【請求項９】
前記ヘッド部分の距離が、約３．８ｍｍである、請求項１に記載の吸収性ねじファスナー。
【請求項１０】
前記ヘッド部分の高さが、約１．５ｍｍである、請求項１に記載の吸収性ねじファスナー。
【請求項１１】
前記本体部分の長さが、約５ｍｍ長さである、請求項１に記載の吸収性ねじファスナー。
【請求項１２】
その全長を通じて延びる管腔をさらに含む、請求項１に記載の吸収性ねじファスナー。
【請求項１３】
前記本体部分が、円形断面を有する、請求項１２に記載の吸収性ねじファスナー。
【請求項１４】
請求項１に記載の吸収性ねじファスナーを挿入するためのシステムであって、
パイロットで標的組織を開くための手段、および
前記ヘッド部分上に直線方向力および回転力を付与することにより該吸収性ねじファスナーを設置するための手段、を包含する、システム。
【請求項１５】
前記ドライバー受容構造が、前記ヘッド部分の外側半径方向表面中に形成されたスロットをさらに規定する、請求項１に記載の吸収性ねじファスナー。
【請求項１６】
前記スロットが、前記ねじファスナーの全長に延びる、請求項１５に記載の吸収性ねじファスナー。
【請求項１７】
前記本体部分の遠位端が、前記長軸方向軸に対して角度をなす遠位表面を規定する、請求項１に記載の吸収性ねじファスナー。
【請求項１８】
前記本体部分の遠位端の遠位表面が、前記長軸方向軸に垂直である軸に対して約５゜〜約１５゜の角度をなす、請求項１７に記載の吸収性ねじファスナー。
【請求項１９】
前記ヘッド部分が、前記長軸方向軸に対して角度をなす遠位表面を規定する、請求項１に記載の吸収性ねじファスナー。
【請求項２０】
前記ヘッド部分の遠位表面が、前記長軸方向軸に垂直である軸に対して約５゜〜約１５゜の角度をなす、請求項１９に記載の吸収性ねじファスナー。
【請求項２１】
前記本体部分の遠位端の遠位表面が、前記長軸方向軸に垂直である軸に対して約５゜〜約１５゜の角度をなす、請求項２０に記載の吸収性ねじファスナー。
【請求項２２】
各ねじ山に形成された各スロットが、半径方向先導エッジおよび半径方向後続エッジの少なくとも１つを含む、請求項２１に記載の吸収性ねじファスナー。